(57)【要約】【課題】身長と体重とを用いて、ＢＭＩ（ボディマス指数）が正常な範囲にあるのかどうかなどを容易に知ることができるＢＭＩ読み取りシートを提供する。【解決手段】身長を示す第１の軸１１と、第１の軸１１に直交し、体重を示す第２の軸１２と、ＢＭＩ（ここで、「ＢＭＩ＝体重（ｋｇ）／｛身長（ｍ）｝２」である）が第１の値（＝２５）となる場合の身長と体重との関係を示す第１の放物線２１と、ＢＭＩが第２の値（＝１８．５）となる場合の身長と体重との関係を示す第２の放物線２２とを表す。【選択図】図１
0003144730.tif 000002
【実用新案登録請求の範囲】
【請求項１】
身長を示す第１の軸と、
前記第１の軸に直交し、体重を示す第２の軸と、
ＢＭＩ（ここで、「ＢＭＩ＝体重（ｋｇ）／｛身長（ｍ）｝２」である）が第１から第Ｎ（Ｎは１以上の整数である）の値となる場合の身長と体重との関係をそれぞれ示す第１から第Ｎの放物線と、を表すＢＭＩ読み取りシート。
【請求項２】
前記第１から第Ｎの放物線によって分けられたＮ＋１個の領域は、領域ごとに異なる色で着色されている、請求項１記載のＢＭＩ読み取りシート。
【請求項３】
Ｎは１であり、
前記第１の値は２５である、請求項１または請求項２記載のＢＭＩ読み取りシート。
【請求項４】
Ｎは２であり、
前記第１の値は２５であり、前記第２の値は１８．５である、請求項１または請求項２記載のＢＭＩ読み取りシート。
【請求項５】
Ｎは５であり、
前記第１の値は４０であり、前記第２の値は３５であり、前記第３の値は３０であり、前記第４の値は２５であり、前記第５の値は１８．５である、請求項１または請求項２記載のＢＭＩ読み取りシート。
【請求項６】
ＢＭＩが所定の値ごとの身長と体重との関係を示す複数の補助放物線をさらに表す、請求項１から請求項５のいずれか記載のＢＭＩ読み取りシート。
【請求項７】
身長が所定の値ごとの目盛線と、
体重が所定の値ごとの目盛線と、をさらに表す、請求項１から請求項６のいずれか記載のＢＭＩ読み取りシート。
【考案の詳細な説明】
【技術分野】
【０００１】
本考案は、身長と体重とを直交する２軸にとったグラフを表すＢＭＩ読み取りシートに関する。
【背景技術】
【０００２】
従来、肥満度を調べる簡便な方法として、ＢＭＩ（Ｂｏｄｙ  Ｍａｓｓ  Ｉｎｄｅｘ（ボディマス指数））が知られている。それは、次式のようにして求めることができる（例えば、非特許文献１参照）。
ＢＭＩ＝体重（ｋｇ）／｛身長（ｍ）｝＾２
【非特許文献１】「ボディマス指数」、［ｏｎｌｉｎｅ］、２００８年５月、フリー百科事典「ウィキペディア（Ｗｉｋｉｐｅｄｉａ）」、［２００８年６月６日検索］、インターネット｛ＵＲＬ：ｈｔｔｐ：／／ｊａ．ｗｉｋｉｐｅｄｉａ．ｏｒｇ／ｗｉｋｉ／％Ｅ３％８３％９Ｃ％Ｅ３％８３％８７％Ｅ３％８２％Ａ３％Ｅ３％８３％９Ｅ％Ｅ３％８２％Ｂ９％Ｅ６％８Ｃ％８７％Ｅ６％９５％Ｂ０｝
【考案の開示】
【考案が解決しようとする課題】
【０００３】
しかしながら、上記の式でＢＭＩを算出することはユーザに対して煩雑な処理を課すこととなっていた。すなわち、通常は、上記の式の値を暗算で求めることはできないため、電卓等の計算機を用意して、その計算機を用いてＢＭＩを算出しなければならなかった。また、ＢＭＩの値が分かったとしても、肥満ややせの程度がどれぐらいであるのかがわかりにくいという問題もあった。
【０００４】
一方、上記の式を用いてＢＭＩを算出する一般的な目的は、ＢＭＩの値を算出した上で、ＢＭＩが標準範囲にあるのか、あるいは、肥満の範囲にあるのかなどのＢＭＩに関する情報を知るためであることが多かった。
【０００５】
本考案は、上記の状況を考慮してなされたものであり、その一の目的は、身長と体重を用いて、ＢＭＩが標準の範囲にあるのかどうかなどのＢＭＩに関する情報を容易に知ることができるＢＭＩ読み取りシートを提供することである。また、本考案の他の目的は、電卓等を用いることなく、ＢＭＩのおおよその値を読み取ることができるＢＭＩ読み取りシートを提供することである。
【課題を解決するための手段】
【０００６】
上記目的を達成するため、本考案によるＢＭＩ読み取りシートは、身長を示す第１の軸と、前記第１の軸に直交し、体重を示す第２の軸と、ＢＭＩ（ここで、「ＢＭＩ＝体重（ｋｇ）／｛身長（ｍ）｝２」である）が第１から第Ｎ（Ｎは１以上の整数である）の値となる場合の身長と体重との関係をそれぞれ示す第１から第Ｎの放物線と、を表すものである。
【０００７】
このような構成により、身長と体重が分かれば、ＢＭＩ読み取りシートを用いて、ＢＭＩが、第１から第Ｎの放物線によって分けられたＮ＋１個の領域のうちのどの領域に存在するのかを容易に知ることができる。したがって、第１から第Ｎの値を適切に設定しておくことにより、例えば、ＢＭＩが標準の範囲に存在するのか、あるいは、肥満などの範囲に存在するのかなどを容易に知ることができるようになる。また、肥満・正常・やせの範囲のそれぞれにおいて、その程度を視覚的に容易に把握することができるようになる。
【０００８】
また、本考案によるＢＭＩ読み取りシートでは、前記第１から第Ｎの放物線によって分けられたＮ＋１個の領域は、領域ごとに異なる色で着色されていてもよい。
このような構成により、Ｎ＋１個の領域を容易に識別可能なようにすることができうる。
【０００９】
また、本考案によるＢＭＩ読み取りシートでは、ＢＭＩが所定の値ごとの身長と体重との関係を示す複数の補助放物線をさらに表してもよい。
このような構成により、補助放物線を用いて、例えば、ＢＭＩのおおよその値を知ることができるようになる。
【００１０】
また、本考案によるＢＭＩ読み取りシートでは、身長が所定の値ごとの目盛線と、体重が所定の値ごとの目盛線と、をさらに表してもよい。
このような構成により、それらの目盛線を用いることによって、身長と体重からＢＭＩがどの領域に存在するのかを確認する作業が容易になるメリットがある。また、身長の所定の値に引かれた目盛線を用いることによって、ある身長に対するＢＭＩの領域ごとの体重の範囲を知ることができるようになる。例えば、身長１７０（ｃｍ）に対する肥満、正常、やせの体重の範囲を、身長１７０（ｃｍ）に引かれた目盛線を用いることによって、容易に知ることができる。
【考案の効果】
【００１１】
本考案によるＢＭＩ読み取りシートによれば、身長と、体重とを用いて、例えば、ＢＭＩが標準の範囲にあるのかどうかを容易に知ることができるようになる。また、本考案によるＢＭＩ読み取りシートが補助放物線をさらに表示している場合には、ＢＭＩのおおよその値を読み取ることができるようになる。
【考案を実施するための最良の形態】
【００１２】
以下、本考案によるＢＭＩ読み取りシートについて、実施の形態を用いて説明する。なお、以下の実施の形態において、同じ符号を付した構成要素は同一または相当するものであり、再度の説明を省略することがある。
【００１３】
（実施の形態１）
本考案の実施の形態１によるＢＭＩ読み取りシートについて、図面を参照しながら説明する。
図１は、本実施の形態によるＢＭＩ読み取りシート１を示す図である。図１において、本実施の形態によるＢＭＩ読み取りシート１では、第１の軸１１と、第２の軸１２と、第１の放物線２１と、第２の放物線２２とが表示されている。
【００１４】
第１の軸１１は、変数である身長（ｃｍ）を示す軸である。また、第２の軸１２は、変数である体重（ｋｇ）を示す軸である。なお、第２の軸１２は、第１の軸に直交している。なお、図１では、身長を横軸にとり、体重を縦軸にとっているが、その逆であってもよいことは言うまでもない。また、第１の軸１１の近傍に、図１で示されるように、その軸で示している変数が身長であることを示す情報、例えば、「身長」の文字列が表示されていてもよい。また、その第１の軸１１に、図１で示されるように、目盛と数値が表示されていてもよい。第２の軸１２についても同様であり、第２の軸１２の近傍に、その軸で示している変数が体重であることを示す情報、例えば、「体重」の文字列が表示されていてもよい。また、その第２の軸１２に、目盛と数値が表示されていてもよい。
【００１５】
第１の放物線２１は、ＢＭＩが第１の値となる場合の身長と体重との関係を示す放物線である。また、第２の放物線２２は、ＢＭＩが第２の値となる場合の身長と体重との関係を示す放物線である。ここで、ＢＭＩは、前述の通りであり、次式で表されるものである。
ＢＭＩ＝体重（ｋｇ）／｛身長（ｍ）｝２
この式から明らかなように、ＢＭＩが一定の値である曲線は、放物線となる。また、本実施の形態では、第１の値は「２５」であり、第２の値は「１８．５」であるとする。なお、これらの値は、それらと別の適切な値であってもよいことは言うまでもない。
【００１６】
このＢＭＩ読み取りシート１で表示されるグラフでは、第１及び第２の放物線２１、２２によって座標平面が３個の領域に分けられている。すなわち、第２の軸１２と、第１の放物線２１とによって区切られる領域（この領域を「第１の領域」と呼ぶことにする）と、第２の軸１２と、第１の放物線２１と、第２の放物線２２とによって区切られる領域（この領域を「第２の領域」と呼ぶことにする）と、第１の軸１１と、第２の軸１２と、第２の放物線２２とによって区切られる領域（この領域を「第３の領域」と呼ぶことにする）とに分けられている。なお、第１の放物線２１は、ＢＭＩが２５の放物線であり、第２の放物線２２は、ＢＭＩが１８．５の放物線であるため、第１の領域は、ＢＭＩが２５より大きい領域となり、第２の領域は、ＢＭＩが１８．５から２５の間の領域となり、第３の領域は、ＢＭＩが１８．５より小さい領域となる。図１では、それらの領域ごとに異なる種類の網掛けを行っているが、それらの網掛けは異なる色に対応していてもよい。すなわち、第１及び第２の放物線２１、２２によって分けられた３個の領域、すなわち、第１から第３の領域は、領域ごとに異なる色で着色されていてもよい。ＢＭＩ読み取りシート１は、例えば、紙のシートや樹脂フィルムのシート等であってもよく、そのシートに第１及び第２の軸１１，１２や、第１及び第２の放物線２１、２２、着色された領域等が印刷等されることによって、ＢＭＩ読み取りシート１が構成されてもよい。
【００１７】
次に、このＢＭＩ読み取りシート１の使用方法について簡単に説明する。あるユーザが、自らのＢＭＩが正常であるかどうかを知るために、身長と体重を測定したとする。その結果、身長がＡ（ｃｍ）であり、体重がＢ（ｋｇ）であったとする。すると、そのユーザは、図１で示されるＢＭＩ読み取りシート１を参照し、身長、すなわち第１の軸１１の値がＡであり、体重、すなわち第２の軸１２の値がＢである座標平面上の点を特定する。そして、その特定した点が、どの領域に存在するのかを確認する。例えば、Ａ＝１７０であり、Ｂ＝６０であったとすると、その点は第２の領域に存在することになる。第２の領域はＢＭＩが１８．５と２５の間であるため、「正常」であると判断することができる。一方、第１の領域に存在するのであれば、ＢＭＩが２５より大きいため、「肥満」であると判断することができる。また、第３の領域に存在するのであれば、ＢＭＩが１８．５より小さいため、「やせ」であると判断することができる。なお、その判断を容易にするため、図１で示されるように、領域ごとに「肥満」「正常」「やせ」の文言を表示していてもよい。
【００１８】
以上のように、本実施の形態によるＢＭＩ読み取りシート１によれば、電卓等の計算機を用いることなく、身長と体重を用いて、ＢＭＩが標準であるのか、肥満であるのか、やせであるのかを容易に知ることができる。したがって、ＢＭＩが標準であるかどうかを確認したいユーザ等の利便性を高めることができるというメリットがある。
【００１９】
なお、一般にＢＭＩが「２５」よりも大きい場合が肥満であり、ＢＭＩが「１８．５」よりも小さい場合がやせであると判断されることが多いため、本実施の形態では、第１の値を「２５」として、第２の値を「１８．５」としたが、第１及び第２の値は、それらに限定されるものではない。例えば、学説や研究結果等に応じて、第１の値を「２６」に設定してもよく、第２の値を「１９」に設定してもよい。
【００２０】
また、第１及び第２の放物線２１、２２は、図１で示されるように、それらの放物線が明らかに描かれているものであってもよく、あるいは、結果としてその放物線の位置が分かるようになっていてもよい。後者の場合としては、例えば、第１の領域と第２の領域とが異なる色であることによって、その領域の境界である第１の放物線２１の位置が分かるような場合がある。
【００２１】
また、第１から第３の領域の色は、その領域の性質に適合したものであることが好適である。例えば、第１の領域と第３の領域は、それぞれ「肥満」と「やせ」の領域であるため、標準ではないことを想起させる赤色や黄色等で着色されることが好適である。また、第２の領域は「正常」の領域であるため、正常であることを想起させる青色や緑色で着色されることが好適である。なお、これらは一例であって、各領域が着色される場合における各領域の色が限定されないものであることは言うまでもない。
【００２２】
また、本実施の形態では、第１から第３の領域が領域ごとに異なる色で着色されている場合について説明したが、そうでなくてもよい。領域ごとに異なる網掛けがなされてもよく、領域ごとに異なる明度にされてもよい。また、領域ごとに異なる着色や網掛け等が何もなされていなくてもよい。その場合であっても、第１及び第２の放物線２１、２２によって、領域を区別することができる。
【００２３】
また、図１では、領域ごとに、その領域に含まれるＢＭＩの性質を示す文字列「肥満」「正常」「やせ」を表示する場合について説明したが、領域ごとに表示される文言は、それらに限定されるものではない。例えば、第１の領域に「ＢＭＩが高い」を表示し、第２の領域に「ＢＭＩが正常」を表示し、第３の領域に「ＢＭＩが低い」を表示してもよい。また、そのような領域を特徴付ける文言を領域ごとに表示しないようにしてもよい。
【００２４】
また、ＢＭＩがどの領域に属するかに応じて、ＢＭＩが適正かどうかを判断する場合について主に説明したが、ＢＭＩがどの領域に属するかに応じて、目標とする１日の摂取熱量や、必要な運動量を判断してもよい。例えば、第１の領域では目標とする摂取熱量を低く設定し、第２の領域ではその摂取熱量を標準的に設定し、第３の領域ではその摂取熱量を高く設定する、となっていてもよい。また、例えば、第１の領域では必要な運動量を多めに設定し、第２の領域では必要な運動量を標準的に設定し、第３の領域では必要な運動量を低めに設定する、となっていてもよい。また、そのような場合には、各領域を特徴付ける文言として、摂取熱量や必要な運動量を領域ごとに表示してもよい。例えば、第１の領域に、目標とする摂取熱量として「２０００ｋｃａｌ」を表示し、第２の領域に「２１００ｋｃａｌ」を表示し、第３の領域に「２２００ｋｃａｌ」を表示するようにしてもよい。
【００２５】
また、図１では、２個の放物線、すなわち、第１及び第２の放物線２１、２２によって座標平面が３個の領域に分けられている場合について示しているが、そうでなくてもよい。例えば、１個の放物線によって座標平面が２個の領域に分けられてもよく（例えば、ＢＭＩが２５の放物線によって、２個の領域に分けられてもよい）、３個の放物線によって座標平面が４個の領域に分けられてもよく、５個の放物線によって座標平面が６個の領域に分けられてもよい。すなわち、ＢＭＩ読み取りシート１は、ＢＭＩが第１から第Ｎ（Ｎは１以上の整数である）の値となる場合の身長と体重との関係をそれぞれ示す第１から第Ｎの放物線を表示するものであってもよい。その場合に、その第１から第Ｎの放物線によって分けられたＮ＋１個の領域が、領域ごとに異なる色で着色されていてもよく、あるいは、そうでなくてもよい。
【００２６】
図２は、第１から第５の放物線２１〜２５によって座標平面が３個の領域に分けられる場合の一例を示す図である。図２において、第１及び第２の放物線２１、２２は、図１と同様である。また、第３から第５の放物線２３〜２５は、それぞれＢＭＩが３０，３５，４０の放物線である。そして、その第３から第５の放物線２３〜２５によって、図１で示されるＢＭＩ読み取りシート１の肥満の領域が、肥満度別にさらに細かく分けられている。すなわち、ＢＭＩが２５から３０の間である肥満度１の領域と、ＢＭＩが３０から３５の間である肥満度２の領域と、ＢＭＩが３５から４０の間である肥満度３の領域と、ＢＭＩが４０よりも大きい肥満度４の領域とに分けられている。そして、その領域ごとに、肥満度を示す文字列（例えば、「肥満度１」など）が表示されている。肥満度１〜４の領域は、全体としては肥満の領域であるため、それらの領域が着色される場合には、同系色で着色されることが好適である。例えば、それらの領域が、領域ごとに濃さの異なる赤系に着色されてもよい。その場合に、肥満度が高くなるほど、色の濃さが濃くなるように、肥満度１〜４の領域が着色されてもよい。
【００２７】
なお、本実施の形態によるＢＭＩ読み取りシート１において、図３で示されるように、第１の補助放物線３１と、第２の補助放物線３２をも表示するようにしてもよい。第１及び第２の補助放物線３１，３２は、ＢＭＩが所定の値ごとの身長と体重との関係を示すものであり、身長と体重から、ＢＭＩのおおよその値を読み取るために用いられるものである。図３において、最も細い線の放物線が第１の補助放物線３１であり、その第１の補助放物線３１よりも太い放物線であって、第１及び第２の放物線２１、２２ではない放物線が第２の補助放物線３２である。図３では、第１の補助放物線３１はＢＭＩが０．５ごとの身長と体重との関係を示すものであり、第２の補助放物線３２はＢＭＩが５ごとの身長と体重との関係を示すものである。なお、第１及び第２の補助双曲線３１，３２が第１及び第２の放物線２１、２２のいずれかと重なる場合には、第１及び第２の放物線２１、２２を優先して記載している。まだ、第２の補助放物線３２については、対応するＢＭＩの値を示すために、第２の補助放物線３２のそれぞれの右端に四角で囲った値が表示されている。被験者は、これらの第１及び第２の補助放物線３１，３２を用いることによって、身長と体重とから、自らのＢＭＩのおおよその値を知ることができる。
【００２８】
なお、図３では、第１の補助放物線３１を細い線として、第２の補助放物線３２を太い線とすることによって、両者を区別可能にしているが、それ以外の方法によって両者を区別可能としてもよい。例えば、一方を実線として、他方を破線としてもよく、一方を一点鎖線とし、他方を二点鎖線としてもよく、両者の色が異なるようにしてもよく、両者の明度や輝度が異なるようにしてもよく、両者を区別可能とする方法は問わない。また、図３では、第２の補助放物線３２についてのみ対応するＢＭＩの値を表示するようにしているが、第１の補助放物線３１についても、対応するＢＭＩの値を表示するようにしてもよく、あるいは、両者共に、対応するＢＭＩの値を表示しないようにしてもよい。また、図３では、２種類の補助放物線、すなわち、第１及び第２の補助放物線３１，３２を表示する場合について示しているが、ＢＭＩ読み取りシート１において、両者を区別することなく、１種類の補助放物線を表示するようにしてもよく、あるいは、３種以上の補助放物線を表示するようにしてもよい（例えば、整数のＢＭＩに対応する第１の補助放物線３１を実線で表示し、半整数のＢＭＩに対応する第１の補助放物線３１を破線で表示してもよい）。また、第１及び第２の放物線２１、２２と、第１及び第２の補助放物線３１，３２とが区別可能となっていることが好適である。そのため、第１及び第２の放物線２１、２２と、第１及び第２の補助放物線３１，３２との種類（例えば、太さや色、実線であるのか、破線であるのかなど）が異なっていてもよく、あるいは、第１から第３の領域がそれぞれ異なる色で着色されていることによって、第１及び第２の放物線２１、２２と、第１及び第２の補助放物線３１，３２とが区別可能となっていてもよい。
【００２９】
また、本実施の形態によるＢＭＩ読み取りシート１において、図３で示されるように、身長が所定の値ごとの第１の目盛線４１と、体重が所定の値ごとの第２の目盛線４２とをさらに表示するようにしてもよい。図３において、第１の目盛線４１は、身長が１（ｃｍ）ごとの目盛線である。また、第２の目盛線４２は、体重が１（ｋｇ）ごとの目盛線である。被験者は、これらの第１及び第２の目盛線４１，４２を用いることによって、身長と体重とからＢＭＩがどの領域に存在するのかを容易に確認することができるようになる。
【００３０】
図３では、第１及び第２の目盛線４１，４２が破線である場合について示しているが、両者は実線であってもよく、鎖線であってもよく、その他の種類の線であってもよい。また、第１及び第２の目盛線４１，４２の間隔も図３の場合に限定されるものではない。また、図３では、第１及び第２の目盛線４１，４２の両方を表示する場合について示しているが、それらのうちの一方のみを表示するようにしてもよい。
【００３１】
被験者は、図３で表示される第１及び第２の補助放物線３１，３２と、第１及び第２の目盛線４１，４２とを用いることにより、身長と体重とから、ＢＭＩがどの領域に存在するのかについてと、また、そのだいたいの値とを知ることができる。例えば、身長が１７０（ｃｍ）であり、体重が６２（ｋｇ）である場合には、被験者は、第１及び第２の目盛線４１，４２と、第１及び第２の補助放物線３１，３２とを用いることによって、ＢＭＩが第２の領域、すなわち正常の領域に存在することができ、さらに、ＢＭＩ≒２１．５であると知ることができる。
【００３２】
また、図３で示されるＢＭＩ読み取りシート１を用いることによって、任意の身長の人の肥満や正常、やせの体重の範囲を一度に読み取ることも可能となる。例えば、身長が１７０（ｃｍ）の人は、身長が１７０（ｃｍ）のところに引かれた第１の目盛線４１と、第１及び第２の放物線２１、２２との交点を見ることによって、体重が約７２（ｋｇ）より大きいと「肥満」となり、約５３〜約７２（ｋｇ）であれば「正常」であり、約５３（ｋｇ）より小さいと「やせ」となることが分かる。
【００３３】
なお、図３では、説明の便宜上、図１で示されるような領域ごとの網掛けや、領域を特徴付ける文言の領域ごとの表示を行っていないが、それらを行ってもよい。例えば、第１から第３の領域ごとに異なる色で着色することによって、領域の区別が明確になるようにしてもよい。また、図３では、第１及び第２の補助放物線３１，３２と、第１及び第２の目盛線４１，４２との両方を表示する場合について示しているが、それらのうちの一方のみを表示するようにしてもよい。
【００３４】
また、本考案は、以上の実施の形態に限定されることなく、種々の変更が可能であり、それらも本考案の範囲内に包含されるものであることは言うまでもない。
【産業上の利用可能性】
【００３５】
以上より、本考案によるＢＭＩ読み取りシートによれば、身長と体重とを用いて、例えば、ＢＭＩが正常な範囲にあるのかどうかなどを容易に知ることができ、ＢＭＩの適否を判断するものとして有用である。
【図面の簡単な説明】
【００３６】
【図１】本考案の実施の形態１によるＢＭＩ読み取りシートを示す図
【図２】同実施の形態によるＢＭＩ読み取りシートの他の一例を示す図
【図３】同実施の形態によるＢＭＩ読み取りシートの他の一例を示す図
【符号の説明】
【００３７】
１  ＢＭＩ読み取りシート
１１  第１の軸
１２  第２の軸
２１  第１の放物線
２２  第２の放物線
２３  第３の放物線
２４  第４の放物線
２５  第５の放物線
３１  第１の補助放物線
３２  第２の補助放物線
４１  第１の目盛線
４２  第２の目盛線
【図１】
0003144730.tif 000003
【図２】
0003144730.tif 000004
【図３】
0003144730.tif 000005